(57)【要約】【課題】この発明は、予約情報の相互間で競合が生じた場合に、競合する予約情報を表示して、ユーザによる予約情報の変更作業を支援し得る受信装置及び受信方法を提供することを目的としている。【解決手段】予約情報を入力する入力手段１９と、この入力手段１９で入力された予約情報を記録する記録手段１８と、この記録手段１８に記録された予約情報の中から入力手段１９で入力された予約情報と競合するものを判別する判別手段１７と、この判別手段１７で判別された予約情報を表示する表示手段１３とを備える。【選択図】    図１
2004236195.tif 000002
【特許請求の範囲】
【請求項１】
予め記録された予約情報に基づいて受信動作が制御される受信装置において、
前記予約情報を入力する入力手段と、
この入力手段で入力された予約情報を記録する記録手段と、
この記録手段に記録された予約情報の中から前記入力手段で入力された予約情報と競合するものを判別する判別手段と、
この判別手段で判別された予約情報を表示する表示手段とを具備してなることを特徴とする受信装置。
【請求項２】
前記表示手段は、前記判別手段で判別された予約情報とともに、前記入力手段で入力された予約情報と前記記録手段に記録された予約情報とを表示することを特徴とする請求項１記載の受信装置。
【請求項３】
前記表示手段は、表示された予約情報をその表示画面上で変更可能としたことを特徴とする請求項２記載の受信装置。
【請求項４】
前記表示手段は、前記判別手段で判別された予約情報を識別子を用いて表示することを特徴とする請求項１記載の受信装置。
【請求項５】
前記表示手段は、前記記録手段に記録された予約情報を表示するとともに、その表示された予約情報のうち前記判別手段で判別された予約情報を、他の予約情報とは異なる色で表示することを特徴とする請求項１記載の受信装置。
【請求項６】
競合が生じた予約情報について、競合が生じないように変更した候補を生成して、前記表示手段に表示させる制御手段を具備してなることを特徴とする請求項１記載の受信装置。
【請求項７】
前記制御手段は、前記表示手段に表示させた予約情報の候補を表示画面上で選択可能としたことを特徴とする請求項６記載の受信装置。
【請求項８】
前記入力手段によって入力される予約情報が、前記記録手段に記録された予約情報と競合を生じないための条件を、前記表示手段に表示させる制御手段を具備してなることを特徴とする請求項１記載の受信装置。
【請求項９】
前記入力手段によって入力された予約情報と、前記記録手段に記録された予約情報との競合する部分を、前記表示手段に図形的に比較表示させる制御手段を具備してなることを特徴とする請求項１記載の受信装置。
【請求項１０】
前記制御手段は、表示画面上で図形の形状を変更することによって、予約情報の変更を可能とすることを特徴とする請求項９記載の受信装置。
【請求項１１】
予め記録された予約情報に基づいて受信動作を制御する受信方法において、
前記予約情報を入力する工程と、
入力された予約情報を記録する工程と、
記録された予約情報の中から入力された予約情報と競合するものを判別する工程と、
判別された予約情報を表示する工程とを有することを特徴とする受信方法。
【請求項１２】
競合が生じた予約情報について、競合が生じないように変更した候補を生成して表示させる工程を有することを特徴とする請求項１１記載の受信方法。
【請求項１３】
入力された予約情報が記録された予約情報と競合を生じないための条件を表示させる工程を有することを特徴とする請求項１１記載の受信方法。
【請求項１４】
入力された予約情報と記録された予約情報との競合する部分を図形的に比較表示させる工程を有することを特徴とする請求項１１記載の受信方法。
【発明の詳細な説明】
【０００１】
【発明の属する技術分野】
この発明は、例えばテレビジョン放送等を受信する受信装置及び受信方法に係り、特にその放送予定番組を予約受信する機能の改良に関する。
【０００２】
【従来の技術】
周知のように、首記の如き受信装置にあっては、放送予定されている番組の放送チャンネル、放送日（曜日）、放送開始／終了時間等の予約情報を予め入力設定しておくことにより、設定された日時に達するとその番組を自動的に受信するようにした、いわゆる、予約受信機能が備えられている。
【０００３】
ところで、近年では、記憶素子の低価格化や大容量化に伴ない、多くの予約情報を設定することが可能になっている。このため、例えば同じ時間帯に２つ以上の異なるチャンネルの受信が設定されるというように、設定された複数の予約情報の相互間で競合が生じ易くなっている。
【０００４】
しかしながら、現状の受信装置においては、ユーザが新規に入力した予約情報に、既に設定されている予約情報との間で競合が生じた場合、競合が生じた旨をユーザに報知することが行なわれるだけである。
【０００５】
このため、報知を受けたユーザは、既に設定されている予約情報のリストを閲覧しながら、競合が生じないチャンネルや時間帯等を自分で検索して予約情報を入力し直さなければらならず、予約情報の入力作業が煩雑になるという問題が生じている。
【０００６】
特許文献１には、本来の録画予約に使用する録画予約情報の他に、キャンセル待ちの録画予約情報を記録しておき、本来の録画予約情報がキャンセルされたときに、自動的にキャンセル待ちの録画予約情報に基づく録画予約が行なわれるようにした構成が開示されている。
【０００７】
また、特許文献２には、ユーザが所望の番組の開始時刻を入力すると、その番組の開始時刻及び終了時刻を番組表から取得し、取得した開始時間から終了時間までの間に放送される全ての番組情報を検索して表示させるようにした構成が開示されている。
【０００８】
ところが、これらの特許文献１，２には、いずれも、予約情報同士の間で競合が生じた場合に、競合の生じないチャンネルや時間帯等を検索して予約情報を入力し直すという、ユーザの作業負担を軽くするということについては、何らの記載もなされていないものである。
【０００９】
【特許文献１】
特開２００２−１６０２５６号公報
【００１０】
【特許文献２】
特開２００２−２６２１８９号公報
【００１１】
【発明が解決しようとする課題】
そこで、この発明は上記事情を考慮してなされたもので、予約情報の相互間で競合が生じた場合に、競合する予約情報を表示して、ユーザによる予約情報の変更作業を支援し得る受信装置及び受信方法を提供することを目的とする。
【００１２】
【課題を解決するための手段】
この発明に係る受信装置は、予め記録された予約情報に基づいて受信動作が制御されるものを対象としている。そして、予約情報を入力する入力手段と、この入力手段で入力された予約情報を記録する記録手段と、この記録手段に記録された予約情報の中から入力手段で入力された予約情報と競合するものを判別する判別手段と、この判別手段で判別された予約情報を表示する表示手段とを備えるようにしたものである。
【００１３】
また、この発明に係る受信方法は、予め記録された予約情報に基づいて受信動作を制御するものを対象としている。そして、予約情報を入力する工程と、入力された予約情報を記録する工程と、記録された予約情報の中から入力された予約情報と競合するものを判別する工程と、判別された予約情報を表示する工程とを有するようにしたものである。
【００１４】
上記のような構成及び方法によれば、記録された予約情報の中から入力された予約情報と競合するものを判別して表示するようにしたので、予約情報の相互間で競合が生じた場合に、ユーザはどの予約情報と整合をとればよいかを直ちに知ることができ、ユーザによる予約情報の変更作業を支援することができる。
【００１５】
【発明の実施の形態】
以下、この発明の実施の形態について、図面を参照して詳細に説明する。図１は、この実施の形態で説明するテレビジョン受信装置を示している。すなわち、符号１１はチューナ部で、受信したテレビジョン放送信号から所望のチャンネルの映像信号を選局する。
【００１６】
このチューナ部１１で選局された映像信号は、信号処理部１２に供給されて復調された後、表示部１３により映像表示される。また、この信号処理部１２で復調された映像信号は、記録再生部１４に供給されて記録用のフォーマットに変換される。
【００１７】
そして、この記録再生部１４により記録用のフォーマットに変換され映像信号は、内蔵記録媒体としてのＨＤＤ（Ｈａｒｄ  Ｄｉｓｋ  Ｄｒｉｖｅ）１５と、このテレビジョン受信装置に着脱自在なリムーバブル記憶メディア１６とに、選択的に記録することが可能である。
【００１８】
また、ＨＤＤ１５に記録された映像信号と、リムーバブル記憶メディア１６に記録された映像信号とは、記録再生部１４により選択的に読み出されて再生用のフォーマットに変換され、表示部１３に映像表示することが可能である。
【００１９】
上記した一連の動作は、ＣＰＵ（Ｃｅｎｔｒａｌ  Ｐｒｏｃｅｓｓｉｎｇ  Ｕｎｉｔ）１７によって統括的に制御されている。すなわち、このＣＰＵ１７は、記憶部１８に記憶された制御プログラムに基づいて、操作部１９からの操作情報を反映するように各部を制御している。
【００２０】
また、この記憶部１８は、操作部１９を介して入力された予約情報を記録している。そして、ＣＰＵ１７は、タイマ２０によって計測される時間や日付（曜日）等の情報を参照することにより、記憶部１８に記録された予約情報を反映するように各部を制御している。
【００２１】
この予約情報に基づく各部の制御とは、例えばテレビジョン放送を受信して表示部１３に表示させる動作、受信したテレビジョン放送の映像信号をＨＤＤ１５またはリムーバブル記憶メディア１６に記録させる動作、ＨＤＤ１５またはリムーバブル記憶メディア１６に記録された映像信号を表示部１３に表示させる動作等である。
【００２２】
上記のような構成となされたテレビジョン受信装置において、以下、図２に示すフローチャートを参照して、その特徴的な動作について説明する。まず、処理が開始（ステップＳ１１）されると、ＣＰＵ１７は、ステップＳ１２で、操作部１９を介して入力された新規の予約情報を取得する。
【００２３】
次に、ＣＰＵ１７は、ステップＳ１３で、既に記憶部１８に記録されている複数の予約情報のうちから、予め設定された順序に基づいて１つの予約情報を取得する。その後、ＣＰＵ１７は、ステップＳ１４で、入力された予約情報と記憶部１８から取得した予約情報とが競合しているか否かを判別する。
【００２４】
そして、競合していると判断された場合（ＹＥＳ）、ＣＰＵ１７は、ステップＳ１５で、記憶部１８から取得した予約情報の識別子またはその内容を記憶部１８に記録する。
【００２５】
このステップＳ１５の後、または、上記ステップＳ１４で競合していないと判断された場合（ＮＯ）、ＣＰＵ１７は、ステップＳ１６で、既に記憶部１８に記録されている複数の予約情報の中に、入力された予約情報との競合の有無を判別していないものがあるか否かを判別する。
【００２６】
そして、競合の有無を判別していないものがあると判断された場合（ＹＥＳ）、ＣＰＵ１７は、ステップＳ１３の処理に移行され、記憶部１８に記録されている複数の予約情報のうちから、次の順番の予約情報を取得する。
【００２７】
また、ステップＳ１６で競合の有無を判別していないものがないと判断された場合（ＮＯ）、ＣＰＵ１７は、ステップＳ１７で、ステップＳ１５で記憶部１８に記録した競合有りの予約情報を全て表示部１３に表示させて、処理を終了（ステップＳ１８）する。
【００２８】
ここで、図３は、上記ステップＳ１７で表示部１３に表示される画面の一例を示している。この画面に表示される内容は、既存予約と追加予約と警告との３つに大別される。
【００２９】
このうち、既存予約は、記憶部１８に既に記録されている複数の予約情報の内容を、予め設定された順序に基づいて一覧表示したものである。この既存予約においては、各予約情報に対してそれぞれ識別子として識別番号０１〜１１が付されている。この識別番号は、予約情報が記憶部１８に記録された状態で、ＣＰＵ１７の制御に基づいて、自動的に付加される。
【００３０】
また、追加予約は、ユーザが新規に入力した予約情報の内容を表示したものである。この追加予約に表示される予約情報の左側に表示された「＋＋」は、競合があることを示している。そして、警告は、追加予約に表示される予約情報が、既存予約に一覧表示された予約情報のいずれと競合しているかを、識別番号で示している。
【００３１】
上記した実施の形態によれば、新規に予約情報が入力された場合、既に記憶部１８に記録されている予約情報のうち、競合する予約情報を表示するようにしたので、ユーザはどの予約情報と整合をとればよいかを直ちに知ることができ、ユーザによる予約情報の変更作業を支援することができる。この場合、競合した予約情報の識別子を表示させることにより、予約情報の内容を表示させるのに比べて、表示領域を少なくすることができる。
【００３２】
また、図３では、既存予約と追加予約と警告とを表示させるようにしたが、競合している予約情報のみ、つまり、警告のみを表示させるようにしてもよいものである。
【００３３】
さらに、図３において、警告の表示領域を削除して、既存予約と追加予約とを表示させるようにし、既存予約に表示されている複数の予約情報の中で、追加予約に表示されている予約情報と競合するものを、他の予約情報と異なる色で表示させるようにすることもできる。
【００３４】
また、図３に示した表示画面上において、既存予約及び追加予約に表示された予約情報を選択的に変更することができるようにすることにより、予約情報の変更作業をさらに支援することができる。この場合、予約情報の変更により競合がなくなったら、警告が無表示となる。また、予約情報の変更により新たな競合が生じた場合には、その予約情報の識別番号が警告に表示されることになる。
【００３５】
さらに、予約情報の競合が生じた場合、ＣＰＵ１７が、競合が生じないように変更した予約情報の候補を作成して表示し、表示画面上でユーザに所望の候補を選択させるようにすれば、予約情報の変更作業をより一層支援することが可能となる。
【００３６】
なお、予約情報を変更する際には、「毎日」、「毎週」、「毎月」等の定期的な項目について、変更内容を永続させるか、所定期間（例えば「該当日のみ」、「該当週のみ」等）だけ一時的に変更するかを、ユーザが選択できるようにすることもできる。このようにすれば、一時的な競合のために予約情報を変更することを避けることが可能となる。
【００３７】
また、競合する予約情報を表示するだけでなく、例えば図４に示すように、既に予約が設定されている既存の時間帯と、新規に入力された予約情報の時間帯とを図形的に並列表示することにより、どの時間帯が競合していてどの時間帯が予約可能かを、ユーザが容易に比較して認識することが可能となる。つまり、既存の予約情報と競合しないための条件をユーザに呈示することで、予約情報の変更作業を支援することもできる。
【００３８】
さらに、図４に示す画面上において、例えばマウス等のポインティングデバイスを利用して、図形の形状を変化させることによって予約の時間帯を変更することができるようにすれば、ユーザによる予約情報の変更作業をより容易化することができる。
【００３９】
なお、この発明は上記した実施の形態に限定されるものではなく、この外その要旨を逸脱しない範囲で種々変形して実施することができる。
【００４０】
【発明の効果】
以上詳述したようにこの発明によれば、予約情報の相互間で競合が生じた場合に、競合する予約情報を表示して、ユーザによる予約情報の変更作業を支援し得る受信装置及び受信方法を提供することができる。
【図面の簡単な説明】
【図１】この発明の実施の形態を示すもので、テレビジョン受信装置を説明するために示すブロック構成図。
【図２】同実施の形態におけるテレビジョン受信装置の特徴的な動作を説明するために示すフローチャート。
【図３】同実施の形態におけるテレビジョン受信装置に表示される画面の一例を説明するために示す図。
【図４】同実施の形態におけるテレビジョン受信装置に表示される画面の他の例を説明するために示す図。
【符号の説明】
１１…チューナ部、１２…信号処理部、１３…表示部、１４…記録再生部、１５…ＨＤＤ、１６…リムーバブル記憶メディア、１７…ＣＰＵ、１８…記憶部、１９…操作部、２０…タイマ。
【図１】
2004236195.tif 000003
【図２】
2004236195.tif 000004
【図３】
2004236195.tif 000005
【図４】
2004236195.tif 000006